(57)【要約】      （修正有）【課題】インペラの回転効率制御の目的を達成する磁力式インペラ制御装置を提供する。【解決手段】磁力式インペラ制御装置はフレーム１０の内、外枠体１２、１３上に少なくとも一個の永久磁石３０及び少なくとも一個の電磁石４０をそれぞれ設置され、予め設定する形式のインペラ２０は、フレーム１０の内枠体１２上に取り付ける。磁力制御モジュール５０は内、外枠体１２、１３が永久磁石３０に相対回転し電磁石４０を通過しようとする時、電磁石４０のコイルに通電し、且つ永久磁石３０が電磁石４０からプレ設定距離を離れるまで通電を持続するよう設定される。電磁石４０に通電する方式により永久磁石３０の磁力線に作用を生じ、回転している内枠体１２及びインペラ２０に対して加速作用を生じ、必要時には、電流方向を変えることで、内枠体及びインペラ２０のブレーキ制動を助け、インペラ２０の回転効率制御の目的を達成する。【選択図】図１
0003202921.tif 000002
【実用新案登録請求の範囲】
【請求項１】
磁力式インペラ制御装置であって、フレーム、少なくとも一個の永久磁石、少なくとも一個の電磁石、及び磁力制御モジュールを有し、
前記フレームには、ベース上にインペラを取り付けでき、且つ前記ベースと相対して回転する内枠体を設置し、前記ベース上には、前記内枠体外周を相対して覆う外枠体を固定して設置し、
前記少なくとも一個の永久磁及び前記少なくとも一個の電磁石は、前記内枠体及び前記外枠体において、相互に対応する回転ルートにそれぞれ設置され、
前記少なくとも一個の電磁石は、鉄心上に、所定の巻き数のコイルを巻いて設置され、
前記磁力制御モジュールは、少なくとも一個の電磁石と電気的に連接し、前記内枠体上に、少なくとも一個の第一電極を設置し、前記外枠体上には、少なくとも一個の第二電極を設置し、
前記少なくとも一個の第一電極及び前記少なくとも一個の電二電極は、前記内枠体と前記外枠体とが前記少なくとも一個の永久磁石へと相対回転し、前記少なくとも一個の電磁石を通過しようとする時、前記少なくとも一個の電磁石のコイルに通電し、
且つ前記少なくとも一個の永久磁石が、前記少なくとも一個の電磁石からプレ設定距離の形態配置へと離れるまで通電を持続することを特徴とする磁力式インペラ制御装置。
【請求項２】
前記磁力制御モジュールは、前記各電磁石のコイルの電流方向を切り換える磁極スイッチ回路をさらに有することを特徴とする請求項１に記載の磁力式インペラ制御装置。
【請求項３】
前記磁力制御モジュール、前記少なくとも一個の永久磁石の回転ルートと対応する第一感知部材と電気的に連接し、
前記少なくとも一個の第一感知部材は、前記少なくとも一個の永久磁石の触発を受けて、対応する電流信号を設定されることを特徴とする請求項１或いは２に記載の磁力式インペラ制御装置。
【請求項４】
前記少なくとも一個の永久磁石の回転ルートと対応する第一感知部材と電気的に連接し、
前記少なくとも一個の第一感知部材は、前記少なくとも一個の永久磁石の触発を受けて、対応する電流信号を設定され、
前記磁力制御モジュールは、前記少なくとも一個の第一感知部材の電流信号触発を受け、前記少なくとも一個の電磁石のコイルに通電するよう設定され、且つ前記少なくとも一個の永久磁石が少なくとも一個の電磁石からプレ設定距離を離れるまで通電を持続されることを特徴とする請求項１或いは２に記載の磁力式インペラ制御装置。
【請求項５】
前記磁力制御モジュールは、前記少なくとも一個の永久磁石の移動速度を探知する少なくとも一個の第二感知部材に電気的に連接し、
前記少なくとも一個の第二感知部材は、前記少なくとも一個の永久磁石の移動速度が、所定の設定値に達すると、磁極スイッチ回路動作を起動する電流信号を発するように設定されることを特徴とする請求項２に記載の磁力式インペラ制御装置。
【請求項６】
前記磁力制御モジュールは、前記少なくとも一個の永久磁石の回転ルートと対応する少なくとも一個の第一感知部材、及び前記少なくとも一個の永久磁石の移動速度を探知する少なくとも一個の第二感知部材に電気的に連接し、
前記少なくとも一個の第一感知部材は、前記少なくとも一個の永久磁石の触発を受けて、対応する電流信号を設定され、
前記少なくとも一個の第二感知部材は、前記少なくとも一個の永久磁石の移動速度が、所定の設定値に達すると、前記磁極スイッチ回路の動作を起動する電流信号を発するように設定されることを特徴とする請求項２に記載の磁力式インペラ制御装置。
【請求項７】
前記磁力制御モジュールは、前記少なくとも一個の永久磁石の回転ルートと対応する少なくとも一個の第一感知部材、及び前記少なくとも一個の永久磁石の移動速度を探知する少なくとも一個の第二感知部材に電気的に連接し、
前記少なくとも一個の第一感知部材は、前記少なくとも一個の永久磁石の触発を受けて、対応する電流信号を設定され、
前記少なくとも一個の第二感知部材は、前記少なくとも一個の永久磁石の移動速度が、所定の設定値に達すると、前記磁極スイッチ回路の動作を起動する電流信号を発するように設定され、
前記磁力制御モジュールは、前記少なくとも一個の第一感知部材の電流信号触発を受け、前記少なくとも一個の電磁石のコイルに通電するよう設定され、且つ前記少なくとも一個の永久磁石が少なくとも一個の電磁石からプレ設定距離を離れるまで通電を持続されることを特徴とする請求項２に記載の磁力式インペラ制御装置。
【請求項８】
前記磁力制御モジュールは、前記磁極スイッチ回路と電気的に連接されるマイクロコントローラー、及び少なくとも一個のストレージ搭載体をさらに有することを特徴とする請求項２に記載の磁力式インペラ制御装置。
【請求項９】
前記少なくとも一個の永久磁石は、前記フレームの内枠体上に固定して設置され、
前記少なくとも一個の電磁石は、前記フレームの外枠体上に固定して設置されることを特徴とする請求項２に記載の磁力式インペラ制御装置。
【請求項１０】
前記少なくとも一個の永久磁石は、前記フレームの外枠体上に固定して設置され、
前記少なくとも一個の電磁石は、前記フレームの内枠体上に固定して設置されることを特徴とする請求項２に記載の磁力式インペラ制御装置。
【考案の詳細な説明】
【技術分野】
【０００１】
本考案は回転動力を生じるために用いるインペラに関し、特にインペラ回転効率を効果的に制御可能な磁力式インペラ制御装置に関する。
【背景技術】
【０００２】
現代人の生活には各種電気製品があふれている。
そのため、現代人にとって電気エネルギーは欠くべからざるものとなっている。
石化エネルギーが枯渇に向かうに従い、燃料費や電気料金が上がり続けている。
また、地球が温室効果の影響を受ける今、環境保護の重要性に対する人々の認知度も上がり、省エネと二酸化炭素削減は、現代社会が立ち向かうべき問題となっている。
地球資源の過度の使用は、環境とエネルギー面での消耗を招き、すべての人類と生物に莫大な影響を及ぼす。
人々にとって最も切実に感じられるのは、原油価格の変動と電気料金、水道料金、生活費の高騰であろう。
各種データが示すように、人々が生活に対して不安を感じ、前途に不透明感を感じるのは、エネルギー枯渇の事実が形成する影響と密接に関連している。
【０００３】
将来のエネルギー問題を解決し、エネルギー問題の改善に対していくらかでも貢献しようと、世界各国は代替エネルギーを積極的に探している。
特に、水力或いは風力によりエネルギーを生み出す設備を動かすなど環境に優しいグリーンエネルギーは注目を浴びている。
それは主に、少なくとも一個のインペラ（水インペラ或いは風インペラ）により水流或いは気流の作用を受け、水流或いは気流の動力の流れをインペラを回転させる機械エネルギーに変え、さらに関連する設備或いは機構により、インペラ回転の機械エネルギーを電気エネルギーに変え、或いは他の機械設備を直接連動して運転させる。
【０００４】
しかし、水力或いは風力により連動し、エネルギーを生じるインペラは、天然の動力回転を利用することはできるが、天候の要因によりインペラの回転効果に影響が及ぶことがしばしばある。
例えば、水流或いは気流が大き過ぎれば、インペラは回転速度超過の危険状態となる。
また、水流或いは気流が小さ過ぎれば、インペラの回転速度が低くなり、さらには止まってしまう恐れもある。
そのため、インペラの回転効率を如何にして効果的に制御するかは重要な課題である。
【考案の概要】
【考案が解決しようとする課題】
【０００５】
前記先行技術には、天候の要因によりインペラの回転効果にしばしば影響が及ぶ欠点がある。
【課題を解決するための手段】
【０００６】
本考案はインペラの回転効率を効果的に向上させ、さらにはコントロールできる磁力式インペラ制御装置に関する。
【０００７】
本考案の磁力式インペラ制御装置は、フレーム、少なくとも一個の永久磁石及び少なくとも一個の電磁石、及び磁力制御モジュールを有する。
該フレームには、ベース上にインペラを取り付けでき、且つ該ベースと相対して回転する内枠体を設置する。
該ベース上には、該内枠体外周を相対して覆う外枠体を固定して設置する。
該少なくとも一個の永久磁石及び該少なくとも一個の電磁石は、該内枠体及び該外枠体と相互に対応する回転ルート上にそれぞれ設置される。
該少なくとも一個の電磁石は、鉄心上に、所定の巻き数のコイルを巻いて設置される。
該磁力制御モジュールは、該少なくとも一個の電磁石と電気的に連接し、該内枠体上に、少なくとも一個の第一電極を設置し、該外枠体上には、少なくとも一個の第二電極を設置する。
該少なくとも一個の第一電極及び該少なくとも一個の電二電極は、該内枠体及び該外枠体が該少なくとも一個の永久磁石に相対回転し該少なくとも一個の電磁石を通過する時、該少なくとも一個の電磁石のコイルに通電し、且つ該少なくとも一個の永久磁石が該少なくとも一個の電磁石プレ設定距離の形態配置から離れるまで通電を持続される。
【０００８】
本考案の磁力式インペラ制御装置は、実際用途のニーズに応じて、予め設定する形式のインペラをフレームの内枠体上に取り付ける。
常態下では、該電磁石に通電する方式を通して、該永久磁石が該電磁石に通過しようとする時、該永久磁石と反発する磁力線を生じ、回転している内枠体及びインペラに対して加速作用を生じ、インペラの回転効率向上を補助する目的を達成する。
インペラの回転速度が所定の設定値を超えた時、或いは天候状態が悪く、インペラの回転に不利な時には、電磁石の電気を直ちに遮断し、永久磁石と電磁石の鉄心との間の磁性吸着作用により、内枠体及びインペラのブレーキ制動を助け、さらには該インペラを安全停止状態に保持し、インペラの回転効率制御の目的を達成する。
【０００９】
本考案の磁力式インペラ制御装置は、それに取り付けるインペラが水力或いは風力等天然動力を受け回転を連動される過程において、該電磁石に通電する方式を通して、該内枠体及び該インペラを加速させる磁力線を発生する。
該インペラの回転速度が所定の設定値を超えた時、該電磁石への通電を遮断し、或いはさらに該電磁石の電流方向を変える方式で、該内枠体及び該インペラを減速させ、さらには停止状態に保持させる磁力線を発生し、より積極的で信頼性の高い手段により、インペラの回転効率を制御し、及び関連設備の使用の安全を維持することができる。
【００１０】
本考案は、インペラの回転効率を効果的に向上させ、さらにはコントロールすることもできる。
【図面の簡単な説明】
【００１１】
【図１】本考案の磁力式インペラ制御装置の構造模式図である。
【図２】本考案第一実施形態における電磁石及び永久磁石の配置状態を示す模式図である。
【図３】本考案における磁力制御モジュールの第一、第二電極配置状態を示す模式図である。
【図４】本考案の磁力式インペラ制御装置の使用状態参考図である。
【図５】本考案の磁力式インペラ制御装置のもう一つの使用状態参考図である。
【図６】本考案の電磁石の通電状態における磁極状態を示す模式図である。
【図７】本考案の電磁石の電流方向改変後の磁極状態を示す模式図である。
【図８】本考案第二実施形態における電磁石及び永久磁石の配置状態を示す模式図である。
【図９】本考案第三実施形態における電磁石及び永久磁石の配置状態を示す模式図である。
【図１０】本考案における磁力制御モジュールの一実施形態の構成ブロックチャートである。
【図１１】本考案第三実施形態における電磁石及び永久磁石の配置状態を示す模式図である。
【図１２】本考案第四実施形態における第一感知部材の配置状態を示す模式図である。
【図１３】本考案第五実施形態における第一感知部材及び第二感知部材の配置状態を示す模式図である。
【考案を実施するための形態】
【００１２】
（一実施形態）
本考案によるインペラ回転効率を効果的に制御可能な磁力式インペラ制御装置は、図１〜図３に示す通り、フレーム１０、少なくとも一個の永久磁石３０及び少なくとも一個の電磁石４０、及び磁力制御モジュール５０を有する。
【００１３】
フレーム１０には、ベース１１上にインペラ２０を取り付けでき、且つベース１１と相対して回転する内枠体１２を設置する。
ベース１１上には、内枠体１２外周を相対して覆う外枠体１３を固定して設置する。
【００１４】
実施時には、フレーム１０は、外枠体１３にさらに複数の導流板１３１を設置する。
導流板１３１の作用により、インペラ２０の回転性能を高めることができる。
【００１５】
少なくとも一個の永久磁石３０及び少なくとも一個の電磁石４０は、内枠体１２及び外枠体１３と相互に対応する回転ルート上にそれぞれ設置される。
少なくとも一個の電磁石４０係鉄心４１上に、所定の巻き数のコイル４２を巻いて設置される。
【００１６】
図２に示す実施形態において、少なくとも一個の永久磁石３０は、フレーム１０の内枠体１２上に固定して設置され、少なくとも一個の電磁石４０は、フレーム１０の外枠体１３上に固定して設置される。
【００１７】
当然、少なくとも一個の永久磁石３０は、図１１に示す通り、フレーム１０の外枠体１３上に固定して設置され、少なくとも一個の電磁石４０は、対応してフレーム１０の内枠体１２上に設置され、これにより少なくとも一個の永久磁石３０及び少なくとも一個の電磁石４０が、内枠体１２及び外枠体１３と相互に対応する回転ルート上にそれぞれ固定して設置される配置形態とすることもできる。
【００１８】
磁力制御モジュール５０は、少なくとも一個の電磁石４０と電気的に連接し、内枠体１２上に、少なくとも一個の第一電極５１を設置し、外枠体１３上には、少なくとも一個の第二電極５２を設置する。
【００１９】
少なくとも一個の第一電極５１及び少なくとも一個の電二電極５２は、内枠体１２及び外枠体１３が相対して、少なくとも一個の永久磁石３０まで回転し、少なくとも一個の電磁石４０を通過しようとしている時、少なくとも一個の電磁石４０のコイル４２は通電し、且つ少なくとも一個の永久磁石３０が、少なくとも一個の電磁石４０からプレ設定距離の形態配置へと離れるまで通電を持続する。
【００２０】
原則的には、本考案の磁力式インペラ制御装置は、使用時には、実際用途のニーズに基づき、予め設定する形式のインペラ２０は、フレーム１０の内枠体１２上に取り付け、且つ磁力制御モジュール５０を通して電源に接続する。
【００２１】
インペラ２０を取り付ける磁力式インペラ制御装置全体は、図４に示す通り、溪流或いは池の中に取り付ける。
インペラ２０が水流の作用を受け運転すると、関連する機構（例えば、ポンプ機構）の運転を連動し、或いは発電機を連動して発電する。
【００２２】
さらに、図５に示す通り、インペラ２０を取り付ける磁力式インペラ制御装置全体を、工場の空気の通り道に設置し、工場の換気施設が生じる気流を利用して、インペラ２０を動かし回転させる。
インペラ２０により関連する機構の運転を連動し、或いは発電機を連動して発電し、省エネと二酸化炭素削減の効果を達成する。
当然、磁力制御モジュール５０が連接する電源は、インペラ２０が発電機を連動した後に発電される電源とすることもできる。
【００２３】
図２に示す実施形態では、少なくとも一個の永久磁石３０は、磁極（図に示すＳ南極など）を外枠体１３に対応させる方式により、内枠体１２上に固定して設置する。
少なくとも一個の電磁石４０は、通電後に生じる磁極を内枠体１２に対応させる方式により、外枠体１３上に固定して設置する。
【００２４】
常態下では、図２及び図６に示す通り、電磁石４０に通電する方式を通して、永久磁石３０が電磁石４０に通過しようとする時、電磁石４０が生じる永久磁石３０と反発する磁力線により、回転している内枠体１２及びインペラ２０に対して加速作用を生じる。
これにより、インペラ２０は、水力或いは風力不足の状態下でも、必要な回転効率を維持することができ、それが応用される設備の作動性能を確保することができる。
【００２５】
インペラの回転速度が所定の設定値を超えた時、或いは天候状態が悪く、インペラの回転に不利な時には、電磁石の電気を直ちに遮断し、永久磁石と電磁石の鉄心との間の磁性吸着作用により、内枠体及びインペラのブレーキ制動を助け、さらにはインペラを停止状態に保持し、インペラの回転効率制御の目的を達成する。
【００２６】
本考案の磁力式インペラ制御装置において、実施時には、磁力制御モジュール５０は、各電磁石４０のコイル４２の電流方向を切り換える磁極スイッチ回路５３をさらに有する。
【００２７】
必要時には、電磁石４０のコイル４２の電流方向を変える方式で、電磁石４０は、永久磁石３０と相互に吸着する磁力線を生じ（図７参照）、より積極的で信頼性の高い手段で、内枠体１２及びインペラ２０のブレーキ制動を助け、さらにインペラ２０は確実に停止状態に保持することができる。
【００２８】
本考案の磁力式インペラ制御装置は、磁力制御モジュール５０が磁極スイッチ回路５３を有するかどうかに関わらず、磁力式インペラ制御装置全体は、実施時には、図８に示す通り、少なくとも一個の永久磁石３０の回転ルートと対応する第一感知部材５４１と電気的に連接し、少なくとも一個の第一感知部材５４１は、少なくとも一個の永久磁石３０の触発を受けて、対応する電流信号を設定される。
【００２９】
図８に示す実施形態では、永久磁石３０は、内枠体１２位置に固定して設置され、少なくとも一個の第一感知部材５４１は、外枠体１３位置に対応して設置される。
当然、永久磁石３０を図１２に示す通り、外枠体１３位置に固定して設置し、少なくとも一個の第一感知部材５４１を、内枠体１２位置に対応して設置することもできる。
【００３０】
この構造において、磁力制御モジュール５０は、少なくとも一個の第一感知部材５４１の電流信号触発を受け、少なくとも一個の電磁石４０のコイル４２に通電するよう設定され、且つ少なくとも一個の永久磁石３０が少なくとも一個の電磁石４０からプレ設定距離離れるまで通電を持続される。
また、第一感知部材５４１により永久磁石３０の電磁石４０に相対する位置を実際に感知し、内枠体１２において、外枠体１３と相対回転し、永久磁石３０が電磁石４０を通過しようとする時、電磁石４０のコイル４２に通電し、且つ永久磁石３０が電磁石４０からプレ設定距離を離れるまで通電を持続し、第一、第二電極が移動し、電磁石４０の通電タイミングに影響を及ぼすことを回避する。
【００３１】
また、本考案の磁力式インペラ制御装置において、磁力制御モジュール５０は、磁極スイッチ回路５３を有する構造形態において、磁力式インペラ制御装置全体は、実施時には、図９に示す通り、少なくとも一個の永久磁石３０の移動速度を探知する少なくとも一個の第二感知部材５４２に電気的に連接する。
少なくとも一個の第二感知部材５４２は、少なくとも一個の永久磁石３０の移動速度が、所定の設定値に達すると、磁極スイッチ回路５３動作を起動する電流信号を発するように設定される。
【００３２】
この構造形態において、第二感知部材５４２により永久磁石３０の移動速度（内枠体１２及びインペラ２０の実際回転速度）を実際に感知できる。
インペラ２０の回転速度が所定の設定値を超えると、直ちに磁極スイッチ回路５３を起動し、電磁石電流方向を変える方式で、内枠体１２及びインペラ２０を減速させ、さらには停止状態の磁力線に保持し、より積極的で信頼性の高い手段により、インペラの回転効率を制御し、及び関連設備の使用の安全を維持することができる。
【００３３】
本考案の磁力式インペラ制御装置は、具体的な実施時には、磁力制御モジュール５０は、少なくとも一個の永久磁石３０の回転ルートと対応する少なくとも一個の第一感知部材５４１、及び少なくとも一個の永久磁石３０の移動速度を探知する少なくとも一個の第二感知部材５４２に電気的に連接する構造形態により実施される。
【００３４】
図９に示す実施形態において、永久磁石３０は、内枠体１２位置に固定して設置され、少なくとも一個の第一感知部材５４１及び第二感知部材５４２は、外枠体１３位置に対応して設置される。
当然、永久磁石３０を図１３に示す通り、外枠体１３位置に固定して設置され、少なくとも一個の第一感知部材５４１及び第二感知部材５４２を、内枠体１２位置に対応して設置することもできる。
【００３５】
同様に、少なくとも一個の第一感知部材５４１は、少なくとも一個の永久磁石３０の触発を受けて、対応する電流信号を設定される。
少なくとも一個の第二感知部材５４２は、少なくとも一個の永久磁石３０の移動速度が、所定の設定値に達すると、磁極スイッチ回路５３動作を起動する電流信号を発するように設定される。
及び、磁力制御モジュール５０は、少なくとも一個の第一感知部材５４１の電流信号触発を受け、少なくとも一個の電磁石４０のコイル４２に通電するよう設定され、且つ少なくとも一個の永久磁石３０が少なくとも一個の電磁石４０からプレ設定距離離れるまで通電を持続される。
【００３６】
さらに、磁力制御モジュール５０は、図１０に示す通り、磁極スイッチ回路５３と電気的に連接されるマイクロコントローラー５５１、及び少なくとも一個のストレージ搭載体５５２をさらに設置される。
ストレージ搭載体５５２には、少なくとも一個の電磁石４０を制御し電流方向を変える少なくとも一種の動作モード、及び永久磁石３０の移動速度（すなわち、インペラの回転速度）に対応する設定値を搭載する。
【００３７】
これにより、マイクロコントローラー５５１は、関連数値の比較対象結果を、電磁石４０への通電を遮断し、或いは電磁石４０の電流方向を切り換える依拠とし、これによりインペラ回転速度を自動調整する目的を達成する。
さらには、可設定成
内枠体と外枠体が永久磁石と相対回転し、電磁石に接近しそうな時には、直ちに電磁石は、永久磁石と対応して相互に吸着する磁力線の方式により、電磁石に対して通電し、内枠体の回転速度を加速する。
続いて、内枠体と外枠体とが相対回転を持続し、永久磁石が電磁石を通過しようとする時には、電磁石を切り換え、永久磁石と対応して反発する磁力線の方式により電磁石に対して通電し、且つ永久磁石が電磁石からプレ設定距離を離れるまで通電を持続し、内枠体及びインペラの回転速度をさらに加速することができる。
【００３８】
従来の技術と比較すると、本考案に掲示する磁力式インペラ制御装置は、それに取り付けるインペラが水力或いは風力等天然動力を受け回転を連動される過程において、電磁石に通電する方式を通して、内枠体及びインペラを加速させる磁力線を発生する。
及び、インペラの回転速度が所定の設定値を超えた時、電磁石への通電を遮断し、或いはさらに電磁石の電流方向を変える方式で、内枠体及びインペラを減速させ、さらには停止状態に保持させる磁力線を発生し、より積極的で信頼性の高い手段により、インペラの回転効率を制御し、及び関連設備の使用の安全を維持することができる。
【００３９】
前述した本考案の実施形態は本考案を限定するものではなく、よって、本考案により保護される範囲は後述される実用新案登録請求の範囲を基準とする。
【符号の説明】
【００４０】
１０    フレーム
１１    ベース
１２    内枠体
１３    外枠体
１３１  導流板
２０    インペラ
３０    永久磁石
４０    電磁石
４１    鉄心
４２    コイル
５０    磁力制御モジュール
５１    第一電極
５２    第二電極
５３    磁極スイッチ回路
５４１  第一感知部材
５４２  第二感知部材
５５１  マイクロコントローラー
５５２  ストレージ搭載体
【図１】
0003202921.tif 000003
【図２】
0003202921.tif 000004
【図３】
0003202921.tif 000005
【図４】
0003202921.tif 000006
【図５】
0003202921.tif 000007
【図６】
0003202921.tif 000008
【図７】
0003202921.tif 000009
【図８】
0003202921.tif 000010
【図９】
0003202921.tif 000011
【図１０】
0003202921.tif 000012
【図１１】
0003202921.tif 000013
【図１２】
0003202921.tif 000014
【図１３】
0003202921.tif 000015